(57)【特許請求の範囲】
【請求項１】
第１及び第２の反対面側を有するディスプレイと、
前記ディスプレイの前記第１の反対面側に少なくとも部分的に配置されたポインタと、
前記ポインタを動かすために、前記ディスプレイの前記第２の反対面側に配置されたモータと、
前記ポインタを照明するために、前記ディスプレイの前記第２の反対面側上の前記モータ内に配置された照明要素と、
前記ディスプレイの前記第１の反対面側に配置されたレンズであって、前記ポインタが前記ディスプレイの前記第１の反対面側と前記レンズとの間に少なくとも部分的に配置される、レンズと、
前記ポインタ及び前記ディスプレイに面する前記レンズの下面に配置されたコーティングであって、光によって励起されると前記ディスプレイ上へ光を発し、前記ディスプレイ上に前記ポインタの少なくとも一部分のシャドウを作り出す材料で作製されたコーティングと
を備えることを特徴とする照明装置。
【請求項２】
前記照明装置は、車両の一部分を構成する
ことを特徴とする請求項１記載の照明装置。
【請求項３】
前記ディスプレイは、インスツルメントクラスタゲージを構成する
ことを特徴とする請求項１記載の照明装置。
【請求項４】
前記モータは、シャフトレスステッピングモータを備え、前記照明要素は、前記シャフトレスステッピングモータのシャフトレス部分内に配置される
ことを特徴とする請求項１記載の照明装置。
【請求項５】
前記照明要素は、発光ダイオードを備える
ことを特徴とする請求項１記載の照明装置。
【請求項６】
前記レンズは、透明である
ことを特徴とする請求項１記載の照明装置。
【請求項７】
前記コーティングは、燐を含む
ことを特徴とする請求項１記載の照明装置。
【請求項８】
前記コーティングは、前記ディスプレイ上に前記ポインタの追従移動シャドウを作成することにより、ゴースト効果を提供する減衰速度を備える
ことを特徴とする請求項１記載の照明装置。
【請求項９】
第１及び第２の反対面側を有する車両計器ディスプレイと、
前記車両計器ディスプレイの前記第１の反対面側に少なくとも部分的に配置されたポインタと、
前記ポインタを動かすために前記ポインタに取り付けられ、前記車両計器ディスプレイの前記第２の反対面側に配置されたシャフトレスステッピングモータと、
前記ポインタを照明するために、前記車両計器ディスプレイの前記第２の反対面側上の前記シャフトレスステッピングモータ内に配置された照明要素と、
前記車両計器ディスプレイの前記第１の反対面側に配置されたレンズであって、前記ポインタが前記車両計器ディスプレイの前記第１の反対面側と前記レンズとの間に少なくとも部分的に配置される、レンズと、
前記ポインタ及び前記車両計器ディスプレイに面する前記レンズの下面に配置されたコーティングであって、光によって励起されると前記車両計器ディスプレイ上へ光を発し、前記車両計器ディスプレイ上に前記ポインタの少なくとも一部分のシャドウを作り出す材料で作製されたコーティングと
を備えることを特徴とする車両インスツルメント照明装置。
【請求項１０】
前記照明要素は、発光ダイオードを備える
ことを特徴とする請求項９記載の車両インスツルメント照明装置。
【請求項１１】
前記レンズは、透明である
ことを特徴とする請求項９記載の車両インスツルメント照明装置。
【請求項１２】
前記コーティングは、燐を含む
ことを特徴とする請求項９記載の車両インスツルメント照明装置。
【請求項１３】
前記コーティングは、前記車両計器ディスプレイ上の前記ポインタの少なくとも前記一部分の追従移動シャドウを作り出すことによってゴースト効果を提供する減衰速度を備える
ことを特徴とする請求項９に記載の車両インスツルメント照明装置。
【請求項１４】
ディスプレイを照明する方法であって、
ディスプレイの第１の面側に少なくとも部分的に配置されたポインタを、前記ディスプレイの第２の面側に配置されたモータによって、前記ディスプレイに対して動かし、前記ディスプレイの前記第２の面が前記ディスプレイの前記第１の面と反対向きであることと、
前記ディスプレイの前記第２の面側の前記モータ内に配置された照明要素によって、前記ポインタを照明することと、
前記ポインタからの光を、前記ポインタ及び前記ディスプレイに面するレンズの下面に配置されたコーティングへ送り、前記レンズが前記ディスプレイの前記第１の面側に配置され、前記ポインタが前記レンズと前記ディスプレイの前記第１の面との間に少なくとも部分的に配置されることと、
前記ポインタから送られた光で前記コーティングを励起させて、前記コーティングから前記ディスプレイの前記第１の面側へ光を発することと、
を含むことを特徴とする方法。
【請求項１５】
前記ディスプレイは、車両の一部分を構成する
ことを特徴とする請求項１４記載の方法。
【請求項１６】
前記ディスプレイは、インスツルメントクラスタゲージを構成する
ことを特徴とする請求項１４記載の方法。
【請求項１７】
前記モータは、シャフトレスステッピングモータを備え、前記照明要素は、前記シャフトレスステッピングモータのシャフトレス部分内に配置される
ことを特徴とする請求項１４記載の方法。
【請求項１８】
前記照明要素は、発光ダイオードを備える
ことを特徴とする請求項１４記載の方法。
【請求項１９】
前記レンズは、透明である
ことを特徴とする請求項１４記載の方法。
【請求項２０】
前記コーティングは、燐を含む
ことを特徴とする請求項１４記載の方法。
【請求項２１】
前記コーティングから発された光が、前記ディスプレイ上の前記ポインタの少なくとも一部分の追従移動シャドウを作り出すことによってゴースト効果を提供することを更に含む
ことを特徴とする請求項１４記載の方法。
【請求項２２】
所望のゴースト効果を提供する減衰速度に基づいて選択された前記コーティングの材料を更に含む
ことを特徴とする請求項２１記載の方法。
【発明の詳細な説明】
【技術分野】
【０００１】
本発明は、車両のアナログインスツルメントクラスタゲージ等の機器の移動ポインタのためのディスプレイ上にゴーストシャドウ効果を提供する装置及び方法に関する。
【背景技術】
【０００２】
車両のアナログインスツルメントクラスタゲージ等の機器のポインタにとって、ゴースト効果と称されるポインタの後ろに追跡光が存在する旧式のレーダの外観を複製することが審美的に望ましいと考える消費者がいる。これを、ポインタの下面で照明かつ回転するディスクセグメントの使用により達成している従来装置及び方法もある。しかしながら、これは装置の製造にかなりの経費を追加し、装置故障の可能性を増大させる。
【０００３】
１つ以上の先行装置及び方法の１つ以上の問題を克服するための装置及び方法が必要である。
【０００４】
一実施形態において、照明装置は、ディスプレイ、ポインタ、モータ、照明要素、レンズ、及びコーティングを含む。ディスプレイは、第１及び第２の反対面側を有する。ポインタは、ディスプレイの第１の反対面側に少なくとも部分的に配置される。モータは、ポインタを動かすために、ディスプレイの第２の反対面側に配置される。照明要素は、ポインタを照明するために、ディスプレイの第２の反対面側上のモータ内に配置される。レンズは、ディスプレイの第１の反対面側に配置され、ポインタが、ディスプレイの第１の反対面側とレンズとの間に、少なくとも部分的に配置される。コーティングが、ポインタ及びディスプレイに面するレンズの下面に配置される。コーティングが、ディスプレイ上にポインタの少なくとも一部分のシャドウを作成する、光により励起されるとディスプレイ上に光を発する材料で作製されている。
【０００５】
別の実施形態において、車両インスツルメント照明装置は、車両計器ディスプレイ、ポインタ、シャフトレスステッピングモータ、照明要素、レンズ、及びコーティングを含む。車両計器ディスプレイが、第１及び第２の反対面側を含む。ポインタが、車両計器ディスプレイの第１の反対面側に、少なくとも部分的に配置される。シャフトレスステッピングモータが、車両計器のディスプレイの第２の反対面側に配置され、ポインタを動かすために、ポインタに取り付けられる。照明要素が、ポインタを照明するために、車両計器ディスプレイの第２の反対面側にあるシャフトレスステッピングモータ内に配置される。レンズが、車両計器ディスプレイの第１の反対面側に配置され、ポインタが車両計器ディスプレイの第１の反対面側とレンズとの間に、少なくとも部分的に配置される。コーティングが、ポインタと車両計器ディスプレイに面するレンズの下面に配置される。コーティングは、車両計器ディスプレイ上にポインタの少なくとも一部分のシャドウを作り、光によって励起されると車両計器ディスプレイ上に光を発する材料で作製される。
【０００６】
さらに別の実施形態では、ディスプレイを照明する方法が開示される。１つのステップでは、ポインタが、ディスプレイの第１の面側に少なくとも部分的に配置され、ディスプレイの第２の面側に配置されたモータで、ディスプレイに対して動かされる。ディスプレイの第２の面は、ディスプレイの第１の面と反対向きである。別のステップでは、ポインタが、ディスプレイの第２の面側のモータ内に配置された照明要素によって照明される。さらに別のステップでは、ポインタからの光が、ポインタ及びディスプレイに面するレンズの下面に配置されたコーティングへ送られる。レンズが、ディスプレイの第１の面側に配置され、ポインタが、レンズとディスプレイの第１の面との間に、少なくとも部分的に配置される。さらにその上、別のステップでは、ポインタから送られた光がコーティングを励起し、コーティングがディスプレイの第１の面側へ光を発する。
【０００７】
本発明の範囲は、単に添付の特許請求の範囲によって定義されるものであり、本発明の概要中の記述によって影響されるものではない。
【０００８】
本発明は以下の図面及び説明を参照してより良く理解することができる。図中の構成要素は、必ずしも原寸に比例するものではなく、本発明の原理の説明に重きを置いたものである。
【図面の簡単な説明】
【０００９】
【図１】照明装置の実施形態の透視図である。
【図２】図１の照明装置１０の直線２−２に沿った断面図である。
【図３】ディスプレイを照明する方法の実施形態のフローチャートである。
【発明を実施するための形態】
【００１０】
図１は、照明装置１０の実施形態の透視図を示す。図２は、図１の照明装置１０の直線２−２に沿った断面図を示す。図１及び図２に共に示すように、照明装置１０は、モータ１２、照明要素１４、ポインタ１６、ディスプレイ１８、レンズ２０、コーティング２２、及びキャップ２４を備える。照明装置１０は、アナログインスツルメントクラスタゲージ等、車両の一部２６を構成する。ディスプレイ１８は、車両計器ディスプレイ等の嵌め細工を構成し、第１と第２の反対面側１８ａ及び１８ｂを備える。ディスプレイ１８に対してポインタ１６を動かすために、モータ１２は、ディスプレイ１８の第２の反対面側１８ｂ上に配置される。モータ１２は、シャフトレス部分１２ａを備えるシャフトレスステッピングモータを備える。シャフトレス部分１２ａは、開口部を備える。
【００１１】
ポインタ１６の中空シャフト１６ａは、ディスプレイ１８の第１の反対面側１８ａからディスプレイ１８の開口部１８ｃを通ってディスプレイ１８の第２の反対面側１８ｂまで延在し、モータ１２のシャフトレス部分１２ａの内部及びそれに取り付けられてもよい。そのようにして、モータ１２は、ポインタ１６のシャフト１６ａを動かし、それにより、ディスプレイ１８の第１の反対面側１８ａ上に配置されたポインタダイアル１６ｂを、ディスプレイ１８に対して動かす。他の実施形態では、モータ１２は、磁石を用いた磁性、またはポインタ１６とモータ１２との間に配置された他の結合部材といった他の機構を用いて、ポインタ１６を動かしてもよい。照明要素１４は、光１４ａを透過させるために、ディスプレイ１８の第２の反対面側１８ｂ上のシャフトレスステッピングモータ１２のシャフトレス部分１２ａ内に配置されて、ポインタ１６のシャフト１６ａを照明し、それによって、ポインタ１６の取り付けられた中空ポインタダイアル１６ｂを照明させる。照明要素１４は、ポインタ１６を照明するために、発光ダイオードまたは別の種類の照明要素１４を備える。
【００１２】
レンズ２０は、ディスプレイ１８の第１の反対面側１８ａ上に配置される。レンズ２０は透明である。ポインタ１６のポインタダイアル１６ｂは、ディスプレイ１８の第１の反対面側１８ａとレンズ２０との間に配置される。キャップ２４は、ディスプレイ１８の第１の反対面側１８ａ上のポインタ１６のシャフト１６ａ中央に位置するレンズ２０に取り付けられる。コーティング２２は、ポインタ１６及びディスプレイ１８に面するレンズ２０ａの下面に配置される。コーティング２２は、光２８によって励起されると光３０をディスプレイ１８上へ発し、ディスプレイ１８上にポインタ１６のシャドウ１６ｃを作る材料で作製される。コーティング２２は、ディスプレイ１８上にポインタ１６の追従移動シャドウ１６ｃを作ることによってゴースト効果を提供する減衰速度（decay rate）を備える材料で作製される。コーティング２２の材料は、所望の量のゴーストを提供するある特定の減衰速度を有するように選択される。好ましくは、減衰速度は、０秒を超え、１秒未満である。他の実施形態では、減衰速度を変えてもよい。一実施形態では、コーティング２２は、燐で作製される。他の実施形態では、コーティング２２は、所望の量のゴーストを提供する任意の材料で作製されてもよい。
【００１３】
図３は、ディスプレイを照明する方法１４０の一実施形態のフローチャートを示す。方法１４０は、本明細書に開示の図１及び図２の装置１０の実施形態のうちのいずれかを利用してもよい。ステップ１４２において、ディスプレイの第１の面側に少なくとも部分的に配置されるポインタは、ディスプレイに対して、ディスプレイの第２の面側に配置されるモータによって動かされる。ディスプレイは、アナログ車両インスツルメントクラスタゲージ等の車両の一部を構成する。他の実施形態では、ディスプレイは、様々な種類のディスプレイを構成してもよい。ディスプレイの第２の面は、ディスプレイの第１の面と反対向きである。モータは、シャフトレスステッピングモータを備える。他の実施形態では、モータを変更してもよい。ステップ１４４において、ポインタは、ディスプレイの第２の面側のモータ内に配置される照明要素によって照明される。照明要素は、シャフトレスステッピングモータのシャフトレス部分内に配置される発光ダイオード配置を備える。
【００１４】
ステップ１４６において、光を、ポインタから、ポインタ及びディスプレイに面するレンズの下面に配置されたコーティングに送る。レンズは、透明で、かつディスプレイの第１の面側に配置される、ポインタは、レンズとディスプレイの前記第１の面との間に少なくとも部分的に配置される。ステップ１４８において、コーティングは、ポインタから透過された光によって励起され、光は、コーティングからディスプレイの第１の面側へ発され、ディスプレイ上のポインタの少なくとも一部分の追従移動シャドウを作り出すことによってゴースト効果を提供する。コーティングの材料は、所望のゴースト効果を提供する減衰速度に基づいて選択される。コーティングは、所望のゴースト効果を提供する燐及び減衰速度を有する材料の任意の他のタイプで作製される。他の実施形態では、方法１４０の１つ以上のステップは、物質又は順序を続けることなく変更してもよいし、または１つ以上のさらなるステップを続けてもよい。
【００１５】
本発明の１つ以上の実施形態は、より故障し易いより高価で複雑な機械的ディスクセグメント装置または他の種類の装置とは対照的に、安価なコーティングを使用してディスプレイ上の機器のポインタにゴースト効果を提供することによって、１つ以上の現在の装置又は方法によって経験される１つ以上の問題を減少させることができる。本発明の１つ以上の実施形態は、１つ以上の他の現行の装置及び方法に対して付加的利益を有することができる。
【００１６】
要約は、読者が本発明の本質を迅速に確認することを可能にするために提供される。これは、請求項の範囲又は意味を解釈及び限定するために使用されものではないとの理解をもって提出されたものである。さらに、上述の発明を実施するための形態において、本発明を合理化するために様々な特性が様々な実施形態においてともにグループ化されることを理解されるだろう。この発明の方法は、特許請求される実施形態が、各特許請求の範囲において明確に列挙されるよりも多くの特性を必要とするという意図を反映していると解釈されるべきではない。むしろ、以下の特許請求の範囲が反映するように、発明の主題は単一の開示される実施形態の全ての特性にわたるわけではない。したがって、以下の特許請求の範囲は、これによって、発明を実施するための形態に組み込まれ、各特許請求の範囲は、別々に特許請求される主題として独立している。
【００１７】
本明細書に記載の本主題の特定の態様が示され、かつ記載されているが、本明細書の教示に基づいて、本明細書に記載の主題及びそのより広範囲の態様から逸脱することなく変更及び修正を行うことができることは、当業者には明らかであり、したがって、添付の特許請求の範囲は、本明細書に記載の主題の真の精神及び範囲内であるとして、すべてのそのような変更及び修正をその範囲内に包含する。さらに、本発明が添付の特許請求の範囲によって定義されることを理解されたい。したがって、本発明は、添付の特許請求の範囲及びそれらの等価物の観点を除いて、制限されるものではない。
【符号の説明】
【００１８】
１２  モータ
１２ａ  シャフトレス部分
１４  照明要素
１４ａ  光
１６  ポインタ
１６ａ  中空シャフト
１６ｂ  中空ポインタダイアル
１６ｃ  シャドウ
１８  ディスプレイ
１８ａ  第１の反対面側
１８ｂ  第２の反対面側
１８ｃ  開口部
２０  レンズ
２２  コーティング２２
２４  キャップ
２６  車両の一部
２８、３０  光
【図１】
0005520410.tif 000002
【図２】
0005520410.tif 000003
【図３】
0005520410.tif 000004